(57)【要約】【課題】本発明は、患部の治療等を行った後の滅菌、消毒後のハンドピース本体全体としての清潔性、安全性を十分に確保することができるとともに、高温蒸気滅菌を行う際に発生する高圧水蒸気の侵入を簡略な構成の基に防御できるカメラユニットを備えたカメラユニット内蔵歯科用ハンドピースを提供する。【解決手段】本発明は、滅菌・消毒対応型のハンドピース本体２のヘッド部３の近傍に、撮像窓である撮像用透明体３６を有するカメラユニット３１を内蔵したカメラユニット内蔵歯科用ハンドピース１であって、前記カメラユニット３１には、少なくともレンズ３８と、前記カメラユニット３１の外部に撮像信号を出力可能とした撮像素子４０とを内蔵し、前記カメラユニット３１の内部を密封するために、このカメラユニット３１に生ずる隙間部を硬化部材である溶融ガラス４２ａ、４２ｂによって封止したものである。【選択図】図１３
2019107046.tif 000002
【特許請求の範囲】
【請求項１】
滅菌・消毒対応型の歯科用インスツルメント本体のヘッド部の近傍に、撮像窓を有するカメラユニットを内蔵したカメラユニット内蔵歯科用インスツルメントであって、
前記カメラユニットには、少なくともレンズと、
前記カメラユニットの外部に撮像信号を出力可能とした撮像素子とを内蔵し、
前記カメラユニットの内部を密封するために、このカメラユニットに生ずる隙間部を硬化部材で封止し、
前記硬化部材は初期状態では流動体であって少なくとも熱、光、紫外線、化学反応、酸素のいずれかの変化で硬化して固体化し、固体状態ではオートクレーブ滅菌温度で耐熱性を有した部材であることを特徴とするカメラユニット内蔵歯科用インスツルメント。
【請求項２】
前記隙間部は、前記撮像窓の外周部とカメラユニットの筐体との間、及び、前記撮像素子に接続される耐熱性ケーブルにおける前記カメラユニットの筐体からの導出部に生ずる隙間であることを特徴とする請求項１記載のカメラユニット内蔵歯科用インスツルメント。
【請求項３】
滅菌・消毒対応型の歯科用インスツルメント本体のヘッド部の近傍に、撮像窓を有するカメラユニットを内蔵したカメラユニット内蔵歯科用インスツルメントであって、
前記カメラユニットは、撮像窓を兼ねるレンズと、内蔵した保持基板により保持した撮像素子とを備えるとともに、前記撮像素子による撮像信号を耐熱性ケーブルを経て前記カメラユニットの外部に出力可能とし、
前記撮像窓を兼ねるレンズが硬化部材によって成形されるとともに、硬化部材により前記撮像窓を兼ねるレンズとカメラユニットとの隙間を気密に封止し、かつ、前記レンズと撮像素子とを一体化し、
前記耐熱性ケーブルの前記カメラユニットの筐体からの導出部における隙間部を前記硬化部材によって封止し、
前記硬化部材は、初期状態では流動体であって少なくとも熱、光、紫外線、化学反応、酸素のいずれかの変化を与えることによって硬化して固体化し、固体状態ではオートクレーブ滅菌温度で耐熱性を有し、かつ可視光を透過する部材であることを特徴とするカメラユニット内蔵歯科用インスツルメント。
【請求項４】
前記保持基板は、平板又はメッシュ状板により形成され、前記硬化部材の硬化時における空気抜き用の貫通穴又はメッシュ穴を備えることを特徴とする請求項３記載のカメラユニット内蔵歯科用インスツルメント。
【請求項５】
前記硬化部材は溶融ガラスであることを特徴とする請求項１乃至４いずれかに記載のカメラユニット内蔵歯科用インスツルメント。
【請求項６】
前記歯科用インスツルメントは、歯科用ハンドピースである請求項１乃至５のいずれかに記載のカメラユニット内蔵歯科用インスツルメント。
【請求項７】
前記歯科用インスツルメントは、歯科用シリンジである請求項１乃至５のいずれかに記載のカメラユニット内蔵歯科用インスツルメント。
【請求項８】
前記歯科用インスツルメントは、歯科用スケーラである請求項１乃至５のいずれかに記載のカメラユニット内蔵歯科用インスツルメント。
【請求項９】
レンズ用の成型面を有する型に硬化前の硬化部材を入れる工程と、
前記型内の硬化前の硬化部材に、撮像素子を保持し、空気流通部を有するとともに撮像素子用の耐熱性ケーブルを接続配置した保持基板を内装したカメラユニットを構成する筐体の一端部を埋入し、前記筐体の一端部側に撮像窓を兼ねる硬化前のレンズを形成しこのレンズの外周部で前記筐体の一端部外周を覆う工程と、
前記筐体の一端部内側から撮像素子側に浸入する硬化前の硬化部材の一部により前記筐体内壁、保持基板の撮像素子側の一面、撮像素子により画される領域を充満させる工程と、
前記筐体の他端部側から前記空気流通部を経て前記硬化前の硬化部材に空気吸引力を作用して前記硬化部材を硬化させ、硬化時に発生する空気を前記空気流通部から逃がした後離型する工程と、
前記耐熱性ケーブルの前記カメラユニットの筐体の他端部からの導出部における隙間部に硬化前の硬化部材を付着させ硬化させて前記隙間部を硬化部材によって気密に封止する工程と、
を含み、
前記筐体の一端部の隙間部が封止され、かつ、この一端部に撮像窓を兼ねる硬化した硬化部材からなり前記撮像素子と一体化したレンズを備え、前記筐体の他端部の隙間部が封止されたカメラユニットを得ることを特徴とし、
前記硬化部材は、初期状態では流動体であって少なくとも熱、光、紫外線、化学反応、酸素のいずれかの変化を与えることによって硬化して固体化し、固体状態ではオートクレーブ滅菌温度で耐熱性を有し、かつ可視光を透過する部材であることを特徴とする歯科用インスツルメントに内蔵するカメラユニットの製造方法。
【請求項１０】
前記空気流通部は、前記保持基板に設けた貫通穴により、又は、前記保持基板であるメッシュ状板のメッシュ穴により形成されることを特徴とする請求項９に記載の歯科用インスツルメントに内蔵するカメラユニットの製造方法。
【請求項１１】
前記硬化部材は、溶融ガラスであることを特徴とする請求項９又は１０のいずれかに記載の歯科用インスツルメントに内蔵するカメラユニットの製造方法。
【発明の詳細な説明】
【技術分野】
【０００１】
本発明は、カメラユニット内蔵歯科用インスツルメント及び該歯科用インスツルメントに内蔵するカメラユニットの製造方法に関し、詳しくは、滅菌・消毒対応型に構成された歯科用インスツルメントに内蔵されるカメラユニットをも滅菌・消毒対応型としたカメラユニット内蔵歯科用インスツルメント、及び、該歯科用インスツルメントに内蔵するカメラユニットの簡略な製造方法に関するものである。
【背景技術】
【０００２】
歯科用ハンドピース、歯科用シリンジ等の歯科用インスツルメントにおいては、患者の口腔内の歯列等の患部の治療、処置等を行った後に、以後の再使用に備えて歯科用インスツルメント本体に対するオートクレーブ、ケミクレーブ等を実行することが清潔性、安全性の確保の観点から要請される。
【０００３】
このため、歯科用インスツルメント本体については、滅菌・消毒対応（耐オートクレーブ性、耐ケミクレーブ性）型に構成することがほとんどである。
一方、近年においては、患部の治療、処置等を行う際に、当該患部やその周辺部位の画像を視覚による画像認識で確認するために、歯科用インスツルメント本体のヘッド部近傍に患部撮像用の小型のカメラを内蔵したカメラユニット内蔵歯科用インスツルメントも提案され実用化されている。
【０００４】
このようなカメラユニット内蔵歯科用インスツルメントの場合、内蔵するカメラユニットに関しては滅菌・消毒対応型とするためには格別の配慮が必要となる。
【０００５】
例えば、オートクレーブ（高圧蒸気滅菌）を行う場合、歯科用インスツルメント本体は摂氏１３５度というような高温雰囲気に晒されるだけでなく、歯科用インスツルメント本体内に配置したカメラユニットへの高温水蒸気の侵入が懸念される。
【０００６】
特許文献１、図１０には、本発明に関連する技術として、対物レンズ群の最先端に配置され、内視鏡の先端面表面を構成するように配置される光学窓となる第１レンズと、被写体像を結像する対物レンズ群と、結像された被写体像を撮像するＣＣＤと、このＣＣＤに関わる電気信号を処理するコンデンサやＩＣ等の電子部品を実装した基板と、前記対物レンズ群を保持する気密隔壁部材である金属製のレンズ枠と、前記レンズ枠の基端部に嵌合する前記ＣＣＤを保持する気密隔壁部材である金属製のＣＣＤ枠と、このＣＣＤ枠の基端に設けられたハーメチックコネクタと、前記レンズ枠と前記ＣＣＤ枠とにまたがって嵌合配置される金属製の気密保持パイプと、前記ハーメチックコネクタに接続されるＣＣＤケーブルとで主に構成した内視鏡用の撮像ユニットが開示されている。
【０００７】
前記ハーメチックコネクタは、金属製のコネクタ本体に形成されている透孔に金属製の接点ピンを配置し、気密接合手段の１つである溶融ガラスからなる絶縁気密封止部剤を前記透孔に流し込み、接点ピンをコネクタ本体に対して絶縁して配設している。
【０００８】
また、前記第１レンズは、レンズ枠に対して気密接合手段の１つである溶融ガラスによって接合されている。
しかし、この特許文献１の撮像ユニットの場合、前記ＣＣＤ枠とコネクタ本体との間に生じる隙間はレーザ光照射により溶接して封止する構成であり、また、前記気密保持パイプとＣＣＤ枠との突き当て部、及び、前記気密保持パイプとレンズ枠との重ね合わせ部も各々レーザ光照射により溶接して封止する複雑な構成であり、溶融ガラスのみで撮像ユニットに生じる隙間部を封止するものではない。
【０００９】
すなわち、滅菌・消毒対応型の歯科用インスツルメント本体に撮像手段であるカメラユニットを内蔵した構成で、かつ、内蔵したカメラユニットについても滅菌・消毒対応型に、すなわち、歯科用インスツルメント全体として滅菌・消毒対応型としたようなカメラユニット内蔵歯科用インスツルメントは見当たらないのが現状である。
【００１０】
特に高温蒸気滅菌を行う際に発生する高圧水蒸気のカメラユニット内への侵入を防御し得るようなカメラユニット内蔵歯科用インスツルメントは存在しないのが現状である。
【先行技術文献】
【特許文献】
【００１１】
【特許文献１】特開２０００−１０７１２０号公報（図１０等）
【発明の概要】
【発明が解決しようとする課題】
【００１２】
本発明が解決しようとする問題点は、患部の治療等を行った後の滅菌、消毒後の歯科用インスツルメント本体全体としての清潔性、安全性を十分に確保することができるとともに、高温蒸気滅菌を行う際に発生する高圧水蒸気の侵入を簡略な構成の基に防御できるカメラユニットを備えたカメラユニット内蔵歯科用インスツルメントが存在しない点である。
【課題を解決するための手段】
【００１３】
本発明は、滅菌・消毒対応型の歯科用インスツルメント本体のヘッド部の近傍に、撮像窓を有するカメラユニットを内蔵したカメラユニット内蔵歯科用インスツルメントであって、前記カメラユニットには、少なくともレンズと、該歯科用インスツルメントの外部に撮像信号を出力可能とした撮像素子とを内蔵し、前記カメラユニットの内部を密封するために、カメラユニットに生ずる隙間部を硬化部材（初期状態では流動体であって少なくとも熱、光、紫外線、化学反応、酸素のいずれかの変化で硬化して固体化し、固体状態ではオートクレーブ滅菌温度で耐熱性を有した部材）によって封止したことを最も主要な特徴とする。
【発明の効果】
【００１４】
請求項１及び請求項２記載の発明によれば、滅菌・消毒対応型の歯科用インスツルメント本体に加えて、カメラユニットに生ずる隙間部（撮像窓の外周部とカメラユニットの筐体との間、及び、前記撮像素子に接続される耐熱性ケーブルにおける前記カメラユニットの筐体からの導出部に生ずる隙間）を初期状態では流動体であって少なくとも熱、光、紫外線、化学反応、酸素のいずれかの変化で硬化して固体化し、固体状態ではオートクレーブ滅菌温度で耐熱性を有した硬化部材（例えば、有機無機ハイブリッドガラスからなり、硬化前の流動体である有機無機ハイブリッドガラスを常温状態で所定の箇所に塗布あるいは盛って加熱することで硬化させることができる溶融ガラス）により封止したことにより、内蔵したカメラユニットをも滅菌・消毒対応型としてこれら両者を一体化でき、患部の治療を行った後の滅菌、消毒後の前記歯科用インスツルメント本体全体の清潔性、安全性を確保することができ、さらには、全体構成の簡略化、取扱い容易化を実現でき、加えて、カメラユニットによる患部の撮像によって、患部の画像を視覚により確認することもでき、施術者側における治療操作性の向上、患者側の治療、処置等の内容への理解促進を図ることも可能なカメラユニット内蔵歯科用インスツルメントを提供することができる。
【００１５】
特に、インスツルメントに内蔵したカメラユニット内に、オートクレーブ等の高圧蒸気滅菌動作を実行することで生ずる高温水蒸気がカメラユニット内に侵入することがないので、カメラユニットを構成する撮像素子等の電子部品が水蒸気に晒されて、劣化したりショートしたりする問題がなく、光路中に設けられている接着剤が変質して視野が妨げられることがなくなる。
【００１６】
尚、硬化部材（例えば有機無機ハイブリッドガラスからなる溶融ガラス）は、有機材料の柔軟性、無機材料の耐久性、耐熱性、熱硬化性について優れた特性を発揮することから、繰り返し高圧蒸気滅菌による伸縮の影響を受けにくく、気密封止性が維持される。
【００１７】
請求項３記載の発明によれば、前記カメラユニットは、撮像窓を兼ねるレンズと、内蔵した保持基板により保持した撮像素子とを備えるとともに、前記撮像素子による撮像信号を耐熱性ケーブルを経て前記カメラユニットの外部に出力可能とし、前記撮像窓を兼ねるレンズが硬化部材によって成形されるとともに、硬化部材により前記撮像窓を兼ねるレンズとカメラユニットとの隙間を気密に封止し、かつ、前記レンズと撮像素子とを一体化し、前記耐熱性ケーブルの前記カメラユニットの筐体からの導出部における隙間部を前記硬化部材によって封止した構成とし、前記硬化部材としては、初期状態では流動体であって少なくとも熱、光、紫外線、化学反応、酸素のいずれかの変化を与えることによって硬化して固体化し、固体状態ではオートクレーブ滅菌温度で耐熱性を有し、かつ可視光を透過する部材を採用しているので、前記レンズと前記撮像素子とを一体化してカメラユニットの筐体に対して気密に封止することが可能であり、前記硬化部材によりレンズ機能と気密封止の双方の機能を兼ねさせることが可能であるカメラユニット内蔵歯科用インスツルメントを提供することができる。
【００１８】
また、請求項３記載の発明によれば、前記硬化部材の封止機能により、オートクレーブ等の高圧蒸気滅菌動作を実行することで生ずる高温水蒸気が、カメラユニットを構成する撮像素子に侵入することがなく、撮像素子等が劣化したりショートしたりする問題が生じない。
【００１９】
さらに、カメラユニット内の光路中に接着剤を使用する必要がないので、高圧蒸気滅菌による伸縮の影響を受けにくく、気密封止性が維持される。
【００２０】
また、前記硬化部材によって成形されるレンズは光透過性が高く、さらには前記硬化部材は流動性が良好なので隙間部の細部に至るまで充填し確実に気密封止することができる。
【００２１】
請求項４記載の発明によれば、前記保持基板は、平板又はメッシュ状板により形成され、前記硬化部材硬化時における空気抜き用の貫通穴又はメッシュ穴を備える構成としているので、硬化部材硬化時に生ずる空気溜りを無くした高性能のレンズを備えるカメラユニット内蔵歯科用インスツルメントを提供することができる。
【００２２】
請求項５記載の発明によれば、請求項１乃至４いずれかに記載の発明において前記硬化部材を溶融ガラスとしたことにより、前記溶融ガラスの優れた柔軟性、耐久性、耐熱性、熱硬化性からなる各特性を利用して請求項１乃至４記載のいずれかの効果を奏するカメラユニット内蔵歯科用インスツルメントを提供することができる。
【００２３】
請求項６記載の発明によれば、請求項１乃至５記載のいずれかの効果を奏するカメラユニット内蔵歯科用インスツルメントの他例であるカメラユニット内蔵歯科用ハンドピースを提供することができる。
【００２４】
請求項７記載の発明によれば、請求項１乃至５記載のいずれかの効果を奏するカメラユニット内蔵歯科用インスツルメントの別例であるカメラユニット内蔵歯科用シリンジを提供することができる。
【００２５】
請求項８記載の発明によれば、請求項１乃至５記載のいずれかの記載の効果を奏するカメラユニット内蔵歯科用インスツルメントのさらに別例のカメラユニット内蔵歯科用スケーラを提供することができる。
【００２６】
請求項９記載の発明によれば、レンズ用の成型面を有する型に硬化前の硬化部材を入れる工程と、前記型内の硬化前の硬化部材に、撮像素子を保持し、空気流通部を有するとともに撮像素子用の耐熱性ケーブルを接続配置した保持基板を内装したカメラユニットを構成する筐体の一端部を埋入し、前記筐体の一端部側に撮像窓を兼ねる硬化前のレンズを形成しこのレンズの外周部で前記筐体の一端部外周を覆う工程と、前記筐体の一端部内側から撮像素子側に浸入する硬化前の硬化部材の一部により前記筐体内壁、保持基板の撮像素子側の一面、撮像素子により画される領域を充満させる工程と、前記筐体の他端部側から前記空気流通部を経て前記硬化前の硬化部材に空気吸引力を作用して前記硬化部材を硬化させ、硬化時に発生する空気を前記空気流通部から逃がした後離型する工程と、
前記耐熱性ケーブルの前記カメラユニットの筐体の他端部からの導出部における隙間部に硬化前の硬化部材を付着させ硬化させて前記隙間部を硬化部材によって気密に封止する工程を含む一連の簡略な工程により、筐体の一端部を気密封止するとともに、この一端部に撮像窓を兼ねる硬化した硬化部材からなり前記撮像素子と一体化したレンズを備え、筐体の他端部の隙間部も気密封止した構成で、滅菌・消毒対応型のカメラユニットを得ることができる歯科用インスツルメントに内蔵するカメラユニットの製造方法を提供することができる。
【００２７】
請求項１０記載の発明によれば、前記空気流通部が、前記保持基板に設けた貫通穴により、又は、前記保持基板であるメッシュ状板のメッシュ穴により形成される構成として、硬化部材の硬化時に生じ易い空気溜りを無くしつつ請求項９記載の発明と同様な効果を奏する歯科用インスツルメントに内蔵するカメラユニットの製造方法を提供することができる。
【００２８】
請求項１１記載の発明によれば、請求項８又は９のいずれかに記載の発明において、前記硬化部材を溶融ガラスとしたことにより、前記溶融ガラスの優れた柔軟性、耐久性、耐熱性、熱硬化性及び高い光透過性からなる各特性を利用して請求項８又は９のいずれかの効果を奏するカメラユニット内蔵歯科用インスツルメントに内蔵するカメラユニットの製造方法を提供することができる。
【図面の簡単な説明】
【００２９】
【図１】図１は本発明の実施例１に係るカメラユニット内蔵歯科用ハンドピースの部分切欠正面図である。
【図２】図２は本実施例１に係るカメラユニット内蔵歯科用ハンドピースにおいて歯科用ホース部側のカップリング部がグリップ部側のカップリング部に対して着脱可能であることを示す部分切欠概略説明図である。
【図３】図３は本実施例１に係るカメラユニット内蔵ハンドビースにおけるグリップ部側のカップリング部と歯科用ホース部側のカップリング部とを分離状態とした構造説明図である。
【図４】図４は本実施例１に係るカメラユニット内蔵歯科用ハンドピースを構成するハンドピース本体の概略図である。
【図５】図５本実施例１に係るカメラユニット内蔵歯科用ハンドピースを構成するハンドピース本体の後端側から見た側面図である。
【図６】図６は図５のＡ−Ａ線断面図である。
【図７】図７は本実施例１に係るカメラユニット内蔵歯科用ハンドピースを構成するハンドピース本体におけるヘッド部の拡大底面図である。
【図８】図８は図７のＢ−Ｂ線断面図である。
【図９】図９は本実施例１に係るカメラユニット内蔵歯科用ハンドピースを構成するカメラユニット及びエアーガイドの拡大正面図である。
【図１０】図１０は本実施例１に係るカメラユニット内蔵歯科用ハンドピースを構成するカメラユニット及びエアーガイドの拡大断面図である。
【図１１】図１１は本実施例１に係るカメラユニット内蔵歯科用ハンドピースを構成するカメラユニット及びエアーガイドの拡大端面図である。
【図１２】図１２は本実施例１に係るカメラユニットの概略斜視図である。
【図１３】図１３は本実施例１に係るカメラユニットの概略断面図である。
【図１４】図１４は本実施例１に係るカメラユニットにおける保持基板等の変形例の構造を示す概略部分断面図である。
【図１５】図１５は本実施例１に係るカメラユニットにおける変形例の保持基板等を筐体の他端側から見た形態を示す概略説明図である。
【図１６】図１６は本実施例１に係るカメラユニットにより撮像した患部の画像の画面表示例を示す図である。
【図１７】図１７本発明の実施例２に係るカメラユニット内蔵歯科用インスツルメントの他例であるカメラユニット内蔵歯科用シリンジを示す概略正面図である。
【図１８】図１８は本発明の実施例３に係るカメラユニット内蔵歯科用インスツルメントのさらに別の例であるカメラユニット内蔵歯科用スケーラを示す概略正面図である。
【図１９】図１９は本発明の実施例４に係る歯科用インスツルメントに内蔵するカメラユニットの製造工程を示す工程説明図である。
【図２０】図２０は図１９に示す製造工程により製造したカメラユニットの概略断面図である。
【発明を実施するための形態】
【００３０】
本発明は、患部の治療等を行った後の滅菌、消毒後の歯科用インスツルメント本体全体としての清潔性、安全性を十分に確保することができるとともに、高温蒸気滅菌を行う際に発生する高圧水蒸気の侵入を簡略な構成の基に防御できるカメラユニットを備えたカメラユニット内蔵歯科用インスツルメントを提供するという目的を、滅菌・消毒対応型の歯科用インスツルメント本体のヘッド部の近傍に、撮像窓を有するカメラユニットを内蔵したカメラユニット内蔵歯科用インスツルメントであって、前記カメラユニットには、少なくともレンズと、前記カメラユニットの外部に撮像信号を出力可能とした撮像素子とを内蔵し、前記カメラユニットの内部を密封するために、このカメラユニットに生ずる隙間部である前記撮像窓の外周部とカメラユニットの筐体との間、及び、前記撮像素子に接続される耐熱性ケーブルにおける前記カメラユニットの筐体からの導出部に生ずる隙間を硬化部材である溶融ガラスによって封止した構成により実現した。
【００３１】
以下に本発明の実施例に係るカメラユニット内蔵歯科用インスツルメントについて図面を参照して説明する。
【実施例１】
【００３２】
本実施例１のカメラユニット内蔵歯科用インスツルメントは、歯科用インスツルメントの一種である例えばエアータービン駆動型の歯科用ハンドピースにカメラユニットを内蔵してカメラユニット内蔵歯科用ハンドピース１としたものである。
【００３３】
本実施例１に係るカメラユニット内蔵歯科用ハンドピース１及びその部分的な変形例について、図１乃至図１６を参照して詳細に説明する。
【００３４】
本実施例１のカメラユニット内蔵歯科用ハンドピース１は、図１乃至図５に示すように、図１に示す患部Ｐの治療用の切削工具４を着脱可能に装着するヘッド部３を先端側に備えるとともに、後端側の内部にカップリング部１０ａを備えるグリップ部６からなり、滅菌・消毒対応（耐オートクレーブ性、耐ケミクレーブ性）型に構成した歯科用インスツルメント本体としてのハンドピース本体２と、前記グリップ部６のカップリング部１０ａに着脱可能なカップリング部１０ｂを備える歯科用ホース部１１とを有している。
【００３５】
前記ハンドピース本体２におけるグリップ部６には、前記ヘッド部３の近傍に、図８に示すようにカメラ本体収容穴部５を設け、また、グリップ部６の外周部の一部、例えばグリップ部６の後端側の外周部に一定の容積の略直方体状の収容領域を有する収容突部７を一体に突設している。
【００３６】
前記収容突部７は、図５に示すように、グリップ部６の後方から見て右利き仕様の場合はグリップ部６の長さ方向に対して所定角度（例えば４０〜５０度）左に傾けた配置としている。
【００３７】
また、左利き仕様の場合には、図示しないが、グリップ部６の長さ方向に対して所定角度（例えば４０〜５０度）右に傾けた配置とするものである。
【００３８】
前記カップリング部１０ａ（ハンドピース本体２側）と、前記カップリング部１０ｂ（歯科用ホース部１１側）とにより、カップリング１０を構成している。
【００３９】
そして、前記カメラユニット内蔵歯科用ハンドピース１において、前記カップリング部１０ａ、１０ｂは、図２、図３に示すように、軸受結合により同軸配置で回転可能に、かつ、着脱可能に結合されるように構成している。
【００４０】
前記歯科用ホース部１１は、図示しない歯科用治療ユニットに接続される接続ホース１２を備えている。
【００４１】
この接続ホース１２内に、図示しない歯科用治療ユニットから供給される圧縮空気を導く空気流路系を構成する空気パイプ１３、及び加圧水を導く水流路系を構成する水パイプ１４、発光素子駆動用の電気ケーブル１５を内装している。
【００４２】
そして、歯科用ホース部１１、カップリング部１０ａ、ヘッド部３を含むグリップ部６内には、詳細構造は省略するが、前記歯科用ホース部１１を経てハンドピース本体２のヘッド部３内に圧送されるエアータービン用の空気流、及び、ヘッド部３から切削工具４に向けて噴射する空気流用の圧縮空気を導く図８に示す空気流路系２１を設けている。
【００４３】
また、前記歯科用ホース部１１を経てハンドピース本体２のヘッド部３に圧送されヘッド部３から切削工具４に向けて噴射する水流用の加圧水を導く図８に示す水流路系２２を設けている。
【００４４】
尚、前記ヘッド部３に装着する切削工具４を回転させる前記エアータービン８への空気流路及びヘッド部３内の水流路については詳細説明を省略する。
【００４５】
前記グリップ部６内には、照明用の例えばＬＥＤ（Ｌｉｇｈｔ  Ｅｍｉｔｔｉｎｇ  Ｄｉｏｄｅ）素子（例えば駆動電圧ＤＣ３．３Ｖのもの）等からなる光源部１６を配置するとともに、前記グリップ部６における前記ヘッド部３の近傍位置に一端が露出し、他端を前記光源部１６の近傍に臨ませる配置でロッドファイバ１７を配置し、前記光源部１６が発光する光を前記ロッドファイバ１７を経て導光し、前記一端から前記切削工具４による対象部位（患部Ｐ）の領域に照明光として射出するように構成している。
【００４６】
前記ハンドピース本体２における前記カメラ本体収容穴部５からグリップ６内を経て収容突部７にわたって以下に詳述するカメラ本体３２、及び、このカメラ本体３２を構成するスリーブ（筐体）３５の外周に装着されるとともに前記空気流路系２１に連通させた図９、図１０に示すエアーガイド５１、耐熱性ケーブル３３、防水コネクタ（メス）３４を配置している。
【００４７】
ここで、前記カメラユニット３１について、図４乃至図１３を参照して詳述する。
【００４８】
前記カメラユニット３１は、各部品が耐熱性素材仕様であり、カメラ本体３２と、耐熱性ケーブル３３と、前記収容突部７内に配置した防水仕様構造の防水コネクタ（メス）３４とを具備している。
【００４９】
前記カメラ本体３２は、円筒状で、ステンレス又は耐熱性樹脂（摂氏１３５度以上）等からなるスリーブ３５と、円板状で、透明な多成分ガラス、石英ガラス等からなり、前記スリーブの一端側に配置されるとともに、ヘッド部の端面近傍に患部、その周辺領域等を撮影した光が入射する撮像窓を構成する撮像用透明体３６と、前記スリーブ３５内で前記撮像用透明体３６の隣りに配置した金属、ステンレス又はアルミニューム等からなる円板状で、絞り機能を備えた絞り体３７と、前記スリーブ３５内で前記絞り体３７の隣りに配置したガラス非球面レンズ等からなるレンズ３８と、前記スリーブ３５内で、前記レンズ３８の隣りに配置した撮像素子支持体である空気抜き用の貫通穴３９ｂを設けた保持基板３９により撮像面を前記撮像用透明体３６側に向けて支持されたＣＭＯＳ（ＣＭＯＳ：Complementary Metal Oxide Semiconductor）、ＣＣＤ（Charge Coupled Device）等から構成した撮像素子（カラーイメージセンサ）４０と、金属、ステンレス又はアルミニューム等からなる円板状で、前記スリーブ３５の他端側に配置した端部板４１と、前記端部板４１、保持基板３９を貫いて一端側を前記撮像素子４０に接続した耐熱性ケーブル３３と、を有している。
【００５０】
前記耐熱性ケーブル３３は、テフロン（登録商標）被覆電線等からなり、その他端側は、前記収容突部７内に配置した防水コネクタ（メス）３４に接続している。 前記防水コネクタ（メス）３４に対しては、図１に示すように、撮像信号出力ケーブル４４を備えたコネクタ（オス）４３が着脱自在に装着されるようになっている。
【００５１】
前記耐熱性樹脂としては、ＰＴＦＥ（４フッ化エチレン）、ＰＯＭ（ポリアセタール）、ＰＥＥＫ（ポリエーテルケトン：スーパーエンジニアリングプラスチック）、ＰＥＩ（ポリエーテルイミド）等の例を挙げることができる。
【００５２】
前記カメラユニット３１のカメラ本体３２は、さらに、その内部を密封するために、図１３に示すように、前記スリーブ３５と撮像窓を構成する撮像用透明体３６との間の隙間部、及び、前記撮像素子４０に接続される耐熱性ケーブル３３における前記スリーブ３５からの導出部に生ずる隙間部を硬化させた硬化部材である溶融ガラス４２ａ、４２ｂによって封止した構成としている。
【００５３】
ここで、前記溶融ガラス４２ａ、４２ｂを構成する硬化部材について詳述する。
【００５４】
前記溶融ガラス４２ａ、４２ｂを構成する硬化部材としては、有機材料の柔軟性、無機材料の耐久性を併せ持つ熱硬化型の有機無機ハイブリッドガラスからなる溶融ガラスを主として使用する。
【００５５】
すなわち、一般にプラスチックに代表される有機材料は、軽くて加工性に優れ、柔軟性があるが耐熱性は無機材料に劣る。一方、シリカやガラスの等の無機材料は耐久性や耐熱性に優れる反面、重くて衝撃に弱く、製造コストも高くなる。
【００５６】
本実施例１においては、前記硬化部材として有機無機ハイブリッドガラスからなる溶融ガラスを採用するものである。
【００５７】
有機無機ハイブリッドガラスは、上述した有機材料、無機材料両者の長所を取り込んだ材料で、有機成分と無機成分を分子レベル?ナノレベルで組み合わせて得られる材料から構成される。
【００５８】
尚、有機無機ハイブリッドガラスは高い光透過率を有することから、後述する実施例４で述べるようにレンズを溶融ガラスによって成型できるという利点も有する。  
【００５９】
また、有機無機ハイブリッドガラスは、オートクレーブ滅菌温度（１２０度から１３５度）でも耐熱性を有するものである。
【００６０】
さらに、有機無機ハイブリッドガラスは、硬化前の流動体である有機無機ハイブリッドガラスを常温状態で所定の箇所に塗布あるいは盛って加熱することで硬化させることができる。
【００６１】
他の溶融ガラスの例としては、熱可塑性ガラスを使用することができる。６００度位で加熱した熱可塑性ガラスを軟化流動させた状態で塗布或いは盛って封止し、常温で硬化させてもよい。この場合、前記溶融ガラスはオートクレーブ滅菌温度（１２０度から１３５度）でも固化した状態で耐熱性を有することができる。
【００６２】
これら溶融ガラスは、カメラユニット３１のカメラ本体３２を構成するステンレスまたは耐熱性樹脂からなるスリーブ３５と熱膨張係数が近似するので、固化した状態でもオートクレーブ等による加熱の繰り返しによってスリーブ３５と溶融ガラスの間に隙間が生じることはなく完全に封止しカメラユニット３１の内部への水蒸気の侵入を防ぐことができる。
【００６３】
さらに上述した溶融ガラスの他に考えられる材料としては、熱硬化性の全フッ素化樹脂、液状熱硬化型のエポキシ樹脂や、熱硬化性シリコン樹脂が考えられる。また、これらは透明素材を使用することで透明封止材として高い光透過率を有することができるし、オートクレーブ滅菌温度（１２０度から１３５度）耐熱可能である。
【００６４】
また、その他に採用可能な材料としては、熱（温度）により溶媒を気化して硬化させる溶液系樹脂、酸素（空気）の遮断によって硬化させる嫌気性樹脂、重合や硬化剤などの化学反応により硬化させるたり、２液混合により化学変化を起こして硬化させるエポキシ樹脂、透明エポキシ樹脂、ウレタン樹脂、光または紫外線の変化によって硬化させる光硬化樹脂や紫外線硬化樹等の例を挙げることができる。さらには、カメラユニット３１のカメラ本体３２を構成するスリーブ３５の材料と、熱膨張係数が近似する材料であることが望ましい。
【００６５】
本実施例１においては、前記スリーブ３５と前記撮像用透明体３６の外周部に生じる隙間を硬化させた溶融ガラス４２ａにより封止し、また、前記スリーブ３５と端部板４１との外周部との間の隙間、及び、前記耐熱性ケーブル３３における端部板４１の貫通部に生じる隙間を硬化させた略円錐形状を呈する溶融ガラス４２ｂにより封止する構成としている。
【００６６】
さらに、前記絞り体３７の外周部と前記スリーブ３５の内壁との間、及び、前記レンズ３８の外周部と前記スリーブ３５の内壁との間、前記保持基板３９の外周部と前記スリーブ３５の内壁との間も、上述した場合と同様に溶融ガラスにより密着結合する構成としてもよい。
【００６７】
前記スリーブ３５の一端側の外周には略円筒状のエアーガイド５１を装着している。
【００６８】
前記エアーガイド５１は、図９乃至図１１に示すように、ステンレス又は耐熱性樹脂（摂氏１３５度以上）からなり、略二重円筒状に形成したガイド筒５２を具備している。
【００６９】
すなわち、前記エアーガイド５１を構成するガイド筒５２は、前記スリーブ３５が嵌装される内孔５３ａを中央部に有する内側筒部５３と、内側筒部５３の外側で、かつ、内側筒部５３の外周との間に一定の隙間を有するように同心配置に形成した外側筒部５４と、を有し、前記内側筒部５３、外側筒部５４の図１０における上端部間を端板部５２ａにより閉塞し、図１０における下端部間は開口して、前記内側筒部５３、外側筒部５４間に下端側のみ開口した空気流通穴部５５を設けた構成としている。
【００７０】
また、空気流通穴部５５は、図１１に示すように、前記内側筒部５３の外壁と、外側筒部５４の内壁とにわたって分離配置に形成した４つの仕切り片５６により例えば４つに仕切られている。
【００７１】
さらに、端板部５２ａを貫通するように前記空気流路系２１から分岐した一本の空気分岐管路５７が配置され、前記空気流路系２１、空気分岐管路５７、空気流通穴部５５を経て、前記エアーガイド５１の下方へエアーを吹き出すように構成し、これにより、エアーカーテン効果で、撮像用透明体３６の撮像面の曇りを防止し得るように構成している。
【００７２】
前記仕切り片５６は、空気流通穴部５５の開口端から前記端板部５２ａの空気流通穴部５５に臨む下面より例えば５乃至１０ｍｍ下側の位置までとされており、これにより、一本の空気分岐管路５７から空気流通穴部５５内にエアーを供給するだけで、４つに仕切られた空気流通穴部５５の各穴からエアーを吹き出すことが可能となっている。
【００７３】
図１６は、本実施例１に係るカメラユニット内蔵歯科用ハンドピース１により撮像した患部Ｐの画像を詳細は省略するが表示手段６０の画面に表示した例を示すものである。
【００７４】
本実施例１のカメラユニット内蔵歯科用ハンドピース１によれば、滅菌・消毒対応型のハンドピース本体２に加えて内蔵したカメラユニット３１をも前記溶融ガラス４２ａ、４２ｂにより滅菌・消毒対応型としてこれら両者を一体化でき、患部Ｐの治療を行った後の滅菌、消毒後の前記ハンドピース本体２全体の清潔性、安全性を確保することができ、さらには、全体構成の簡略化、取扱い容易化を実現でき、加えて、カメラユニット３１による患部Ｐの撮像によって、患部Ｐの画像を視覚により確認することもでき、施術者側における治療操作性の向上、患者側の治療、処置等の内容への理解促進を図ることも可能なカメラユニット内蔵歯科用ハンドピース１を提供することができる。
【００７５】
特に、前記ハンドピース本体２に内蔵したカメラユニット３１内に、オートクレーブ等の高圧蒸気滅菌動作を実行することで生ずる高温水蒸気がカメラユニット３１内に侵入することがないので、カメラユニット３１を構成する撮像素子４０等の電子部品が水蒸気に晒されて、劣化したりショートしたりする問題がなく、光路中に設けられている接着剤が変質して視野が妨げられることがなくなる。
【００７６】
尚、前記溶融ガラス４２ａ、４２ｂの特徴として、金属と近い線膨張係数に設定できることから、繰り返し高圧蒸気滅菌による伸縮の影響を受けにくく、これによりカメラユニット３１の封止性が維持される。
【００７７】
さらに、本実施例１によれば、前記エアーガイド５１から撮像用透明体３６の下方へ、すなわち、前記切削工具４側へエアーを吹き出すように構成しているので、これにより、カメラユニット３１による患部Ｐの撮像に際してエアーカーテン効果により撮像用透明体３６の撮像面の曇りを防止し、患部Ｐの高品質の画像を得ることもできるカメラユニット内蔵歯科用ハンドピース１を提供することができる。
【００７８】
図１４は、本実施例１に係るカメラユニット３１における保持基板３９の変形例であるメッシュ穴３９ｃを備えるメッシュ状板３９Ａ（図１５においてクロス斜線を付して示す）の構造を示し、また、図１５は、変形例のメッシュ状板３９Ａ等をスリーブ３５の他端側から見た形態を示すものである。
【００７９】
このようなメッシュ穴３９ｃを備えるメッシュ状板３９Ａを採用した場合でも、前記保持基板３９の場合と同様な機能を発揮させることができる。
【実施例２】
【００８０】
本発明の実施例２について図１７を参照して説明する。
【００８１】
本実施例２は、滅菌・消毒対応型の歯科用インスツルメントの他例である例えば歯科用シリンジ（マルチウェイシリンジ）７１に上述した場合と同様な構成の基にカメラユニット３１を内蔵して図１７に概略的に示すカメラユニット内蔵歯科用シリンジ７１としたものである。
尚、図１７に示すカメラユニット内蔵歯科用シリンジ７１において、実施例１の場合と同一の要素には同一の符号を付し、その詳細説明は省略する。
【００８２】
本実施例２において、前記カメラユニット内蔵歯科用シリンジ７１を構成する滅菌・消毒対応型のシリンジ本体７２は、公知のように加圧された流体（水又は薬液）の管路と、圧縮空気の管路と、それらの管路を夫々制御する制御弁とを備えており、歯科処置に応じて複数種の歯科用作用流体を噴射ノズル７３から患部Ｐに選択的に噴射し、患部Ｐを処置する構成とするとともにカメラユニット３１により患部Ｐやその周辺領域の画像を撮像可能に構成している。
【００８３】
また、シリンジ本体７２の外周の一部に、実施例１の場合と同様な収容突部７４を一体に設け、前記シリンジ本体７２における噴射ノズル７３の取り付け部の近傍位置に、実施例１の場合と同様な構成の基にカメラユニット３１のカメラ本体３２を、前記収容突部７４に防水コネクタ（メス）３４を各々配置し、さらにシリンジ本体７２内にカメラユニット３１のカメラ本体３２と防水コネクタ３４とを接続する耐熱性ケーブル３３を配置している。
【００８４】
本実施例２のカメラユニット内蔵歯科用シリンジ７１におけるカメラ本体３２とシリンジ本体７２との固定連結部、収容突部７４と防水コネクタ３４との固定連結部のシール構造は各々実施例１の場合と同様である。
【００８５】
本実施例２のカメラユニット内蔵歯科用シリンジ７１は、さらに図示していないが、実施例１の場合と同様な接続コネクタ（オス）４３、撮像信号出力ケーブル４４を備えている。
【００８６】
本実施例２によれば、シリンジ本体７２に加えて前記カメラユニット３１をも滅菌・消毒対応（耐オートクレーブ性、耐ケミクレーブ性）型としてこれら両者を一体化でき、本実施例２のカメラユニット内蔵歯科用シリンジ７１を使用して患部Ｐの治療を行った後の滅菌、消毒後の前記シリンジ本体７２の清潔性、安全性を確保することができ、さらには、全体構成の簡略化、取扱い容易化を実現できるカメラユニット内蔵歯科用シリンジ７１を提供することができる。
【００８７】
また、前記カメラユニット内蔵歯科用シリンジ７１により患部Ｐの処置を実行する際に、カメラユニット３１により患部Ｐの撮像を行うことによって、実施例１の場合と同様、図１６に示すような患部Ｐの画像を視覚により確認することもでき、これにより、施術者側における処置操作性を高めつつ口腔内の各部、例えば根管口、髄角、髄床底、窩洞陰影部等の視認による死角領域の低減、さらには、患者側の処置内容への理解促進を図ることも可能なカメラユニット内蔵歯科用シリンジ７１を提供することができる。
【実施例３】
【００８８】
本発明の実施例３について図１８を参照して説明する。
【００８９】
本実施例３は、滅菌・消毒対応型の歯科用インスツルメントの他例である例えば歯科用スケーラに上述した場合と同様な構成の基にカメラユニット３１を内蔵して図１８に概略的に示すカメラユニット内蔵歯科用スケーラ８１としたものである。
【００９０】
尚、図１８に示すカメラユニット内蔵歯科用スケーラ８１において、実施例１の場合と同一のヨウ素には同一の符号を付し、その詳細説明は省略する。
【００９１】
前記カメラユニット内蔵歯科用スケーラ８１は、例えば、詳細説明は省略するが、超音波振動源(圧電素子)と振動伝達部材（ホーン）とが一体形成された超音波振動子を滅菌・消毒対応型のスケーラ本体８２に配置し、患部Ｐに有効に作用する歯科用チップ８３をスケーラ本体８２の先端に配置して、超音波振動により歯科用チップ８３を駆動して、口腔内の歯面，歯間、歯肉縁下のスケーリング（歯石取り）等を行うとともに、カメラユニット３１により患部Ｐやその周辺領域の画像を撮像可能に構成している。
【００９２】
また、スケーラ本体８２の外周の一部に、実施例１の場合と同様な収容突部８４を一体に設け、前記スケーラ本体８２における歯科用チップ８３の取り付け部の近傍位置に、実施例１の場合と同様な構成の基にカメラユニット３１のカメラ本体３２を、前記収容突部８４に防水コネクタ（メス）３４を各々配置し、さらにスケーラ本体８２内にカメラユニット３１のカメラ本体３２と防水コネクタ３４とを接続する耐熱性ケーブル３３を配置している。
【００９３】
本実施例３のカメラユニット内蔵歯科用スケーラ８１におけるカメラ本体３２とスケーラ本体８２との固定連結部、収容突部８４と防水コネクタ３４との固定連結部のシール構造は各々実施例１の場合と同様である。
【００９４】
本実施例３のカメラユニット内蔵歯科用スケーラ８１は、さらに図示していないが、実施例１の場合と同様な接続コネクタ（オス）４３、撮像信号出力ケーブル４４を備えている。
【００９５】
本実施例３によれば、スケーラ本体８２に加えて前記カメラユニット３１をも滅菌・消毒対応（耐オートクレーブ性、耐ケミクレーブ性）型としてこれら両者を一体化でき、本実施例３のカメラユニット内蔵歯科用スケーラ８１を使用して患部Ｐの治療を行った後の滅菌、消毒後の前記スケーラ本体８２の清潔性、安全性を確保することができ、さらには、全体構成の簡略化、取扱い容易化を実現できるカメラユニット内蔵歯科用スケーラ８１を提供することができる。
【００９６】
また、前記カメラユニット内蔵歯科用スケーラ８１により患部Ｐの処置を実行する際に、カメラユニット３１により患部Ｐの撮像を行うことによって、実施例２の場合と同様、図１４に示すような患部Ｐの画像を視覚により確認することもでき、これにより、施術者側における処置操作性を高めつつ口腔内の各部、例えば根管口、髄角、髄床底、窩洞陰影部等の視認による死角領域の低減、さらには、患者側の処置内容への理解促進を図ることも可能なカメラユニット内蔵歯科用スケーラ８１を提供することができる。
【実施例４】
【００９７】
次に、本発明の実施例４に係る歯科用インスツルメントに内蔵するカメラユニットの製造方法について、図１９、図２０を参照して説明する。
【００９８】
本実施例４に係るカメラユニットの製造方法は、実施例１のカメラユニット３１に近似した構成からなるカメラユニット３１Ａを製造するものであり、以下に一連の工程について詳述する。
【００９９】
尚、本実施例４において実施例１の要素と同一の要素については同一の符号を付し、その詳細説明は省略する。
【０１００】
本実施例４に係るカメラユニット３１Ａの製造方法は、図１９（ａ）、（ｂ）に示すように、レンズ用の成型面９２を有する型９１内に実施例１で述べたような特性を有する硬化部材である硬化前の溶融ガラス９３ａを入れ、次いで前記型９１内の硬化前の溶融ガラス９３ａに、撮像素子４０を保持し、空気流通用の貫通穴３９ｂを有するとともに撮像素子４０用の耐熱性ケーブル３３を接続配置した保持基板３９を内装したスリーブ３５の一端部を埋入する。
【０１０１】
これにより、前記スリーブ３５の一端部側に撮像窓を兼ねる硬化前のレンズ９４ａを形成しこのレンズ９４ａの外周部分でスリーブ３５の一端部外周を覆うとともに、前記スリーブ３５の一端部内側から撮像素子４０側に浸入する硬化前の溶融ガラス９３ａの一部により前記スリーブ３５内壁、保持基板３９の撮像素子４０側の一面、撮像素子４０により画される領域を充満させる。
【０１０２】
次に、図１９（ｃ）、（ｄ）に示すように、図示しない空気吸引手段を使用し、前記スリーブ３５の他端部側から前記貫通穴３９ｂを経て前記硬化前の溶融ガラス９３ａに空気吸引力を作用して硬化時に発生する空気を前記貫通穴３９ｂを経て外部に逃がしつつ前記溶融ガラス９３ａを硬化させ硬化した溶融ガラス９３とした後、前記型９１から離型する。また、前記空気吸引手段は硬化前の硬化部材の粘性率が小さい場合は、前記スリーブ３５の一端部を埋入する時の埋入力のみを作用して硬化時に発生する空気を前記貫通穴３９ｂを経て外部に逃がしつつ前記溶融ガラス９３ａを硬化させてもよい。
【０１０３】
次に、図１９（ｅ）に示すように、端部板４１を前記スリーブ３５の他端部側に取り付けるとともに、前記スリーブ３５と端部板４１の外周部との間の隙間、及び、前記耐熱性ケーブル３３における前記端部板４１の貫通部に生じる隙間に、実施例１で述べたような特性を有する硬化部材である硬化前の溶融ガラスを略円錐形状を呈するように付着させ硬化させて溶融ガラス９５として前記各隙間を封止する。
【０１０４】
これにより、図２０に示すように、前記スリーブ３５の一端部の隙間が封止され、かつ、この一端部に撮像窓を兼ねる硬化した溶融ガラス９３からなり前記撮像素子４０と一体化したレンズ９４を備え、さらに、前記スリーブ３５の他端部の隙間も封止された図２０に示すカメラユニット３１Ａを得ることができる。
【０１０５】
図２０に示すカメラユニット３１Ａによれば、前記レンズ９４が溶融ガラス９３によって成形され、前記レンズ９４と前記撮像素子４０とを一体化して前記スリーブ３５に対して気密に封止することが可能なので、前記溶融ガラス９３によりレンズ機能と気密封止の双方の機能を兼ねさせることが可能である。
【０１０６】
また、前記カメラユニット３１Ａによれば、オートクレーブ等の高圧蒸気滅菌動作を実行することで生ずる高温水蒸気が、カメラユニット３１Ａを構成する撮像素子４０に侵入することがなく、撮像素子４０等が劣化したりショートしたりする問題が生じない。
【０１０７】
さらに、前記カメラユニット３１Ａ内の光路中に接着剤を使用する必要がないので、高圧蒸気滅菌による伸縮の影響を受けにくく、気密封止性が維持されることは実施例１の場合と同様である。
【０１０８】
尚、本実施例４において、前記保持基板３９の替りに前記メッシュ状板３９Ａを用いたスリーブ３５を採用する場合においても上述した場合と同様な機能を発揮することができるカメラユニット３１Ａとすることができる。
【０１０９】
以上説明した本実施例４によれば、実施例１記載のカメラユニット３１と同様な効果を奏するカメラユニット３１Ａを提供できる。
【０１１０】
また、上述した一連の簡略な工程により、溶融ガラスの硬化時に生じ易い空気溜りを無くした高性能のレンズ９４を備え、歯科用ハンドピース、歯科用シリンジ、歯科用スケーラ等に対して内蔵可能な滅菌・消毒対応型のカメラユニット３１Ａを簡略、安価に製造することができる。
【産業上の利用可能性】
【０１１１】
本発明は、各々カメラユニットを内蔵する構成とするエアータービンハンドピース、マイクロモータハンドピース、レーザーハンドピース、各種シリンジ又は各種スケーラ等のような種々の歯科用インスツルメントに対して広範に適用可能である。
【符号の説明】
【０１１２】
１    カメラユニット内蔵歯科用ハンドピース
２    ハンドピース本体
３    ヘッド部
４    切削工具
５    カメラ本体収容穴部
６    グリップ部
７    収容突部
８    エアータービン
１０    カップリング
１０ａ  カップリング部
１０ｂ  カップリング部
１１    歯科用ホース部
１２    接続ホース
１３    空気パイプ
１４    水パイプ
１５    電気ケーブル
１６    光源部
１７    ロッドファイバ
２１    空気流路系
２２    水流路系
３１    カメラユニット
３１Ａ  カメラユニット
３２    カメラ本体
３３    耐熱性ケーブル
３４    防水コネクタ（メス）
３５    スリーブ（筐体）
３６    撮像用透明体
３７    絞り体
３８    レンズ
３９    保持基板
３９Ａ  メッシュ状板
３９ｂ  貫通穴
３９ｃ  メッシュ穴
４０    撮像素子
４１    端部板
４２ａ  溶融ガラス
４２ｂ  溶融ガラス
４３    コネクタ（オス）
４４    撮像信号出力ケーブル
５１    エアーガイド
５２    ガイド筒
５２ａ  端板部
５３    内側筒部
５３ａ  内孔
５４    外側筒部
５５    空気流通穴部
５６    仕切り片
５７    空気分岐管路
６０    表示手段
７１    カメラユニット内蔵歯科用シリンジ
７２    シリンジ本体
７３    噴射ノズル
７４    収容突部
８１    カメラユニット内蔵歯科用スケーラ
８２    スケーラ本体
８３    歯科用チップ
８４    収容突部
９１    型
９２    成型面
９３    硬化した溶融ガラス
９３ａ  硬化前の溶融ガラス
９４    レンズ
９４ａ  硬化前のレンズ
９５    硬化した溶融ガラス
Ｐ    患部
【図１】
2019107046.tif 000003
【図２】
2019107046.tif 000004
【図３】
2019107046.tif 000005
【図４】
2019107046.tif 000006
【図５】
2019107046.tif 000007
【図６】
2019107046.tif 000008
【図７】
2019107046.tif 000009
【図８】
2019107046.tif 000010
【図９】
2019107046.tif 000011
【図１０】
2019107046.tif 000012
【図１１】
2019107046.tif 000013
【図１２】
2019107046.tif 000014
【図１３】
2019107046.tif 000015
【図１４】
2019107046.tif 000016
【図１５】
2019107046.tif 000017
【図１６】
2019107046.tif 000018
【図１７】
2019107046.tif 000019
【図１８】
2019107046.tif 000020
【図１９】
2019107046.tif 000021
【図２０】
2019107046.tif 000022